【手続補正書】
【提出日】平成17年7月7日(2005.7.7)
【手続補正１】
【補正対象書類名】特許請求の範囲
【補正対象項目名】全文
【補正方法】変更
【補正の内容】
【特許請求の範囲】
【請求項１】
水相および脂質相がそれに適用された多孔性もしくは吸収性シートを含んで成り、かつ乾燥された製品。
【請求項２】
シートを脂質相とそして水相と順次にもしくは同時に接触させることを含んで成り、そして更なる乾燥段階を更を含んで成る、請求項１に記載の製品の製法。
【請求項３】
組み合わせた清浄化物および有効物質の適用物としての請求項１又は２に記載の製品の使用方法。
【請求項４】
（ａ）脂質相が１種もしくは複数のＣ12−24脂肪酸トリグリセリド、Ｃ12−Ｃ50−脂肪アルコールまたは、ジアルキル（エン）エーテル、ジアルキル（エン）カーボネート、ジカルボン酸もしくはヒドロキシ脂肪アルコールまたはそれらの混合物から選択される少なくとも１種の油もしくはワックス成分を含んで成り、
（ｂ）脂質相が１０％未満の水分を含有し、そして
（ｃ）脂質相の融点もしくは融解範囲が２５℃より高いかもしくはそれに等しい、
ワックス状脂質相がそれに適用された、多孔性もしくは吸収性シートを含んで成る製品。
【手続補正２】
【補正対象書類名】明細書
【補正対象項目名】０３０７
【補正方法】変更
【補正の内容】
【０３０７】
最後の段階において、ストリップを折り畳み、切断した。
本発明の好適な態様は次のとおりである。
１．水相および脂質相がそれに適用された多孔性もしくは吸収性シートを含んで成り、かつ乾燥された製品。
２．脂質相の融点もしくは融解範囲が２５℃を越えるかもしくはそれに等しい、上記１記載の製品。
３．脂質相の融点もしくは融解範囲が３２〜４０℃の範囲内にある、上記２記載の製品。
４．脂質相がモノ−、ジ−もしくはトリグリセリドを含んで成る、上記１〜３のいずれかに記載の製品。
５．脂質相が天然の油から誘導されたもしくはそれらの中に存在するモノ−、ジ−もしくはトリグリセリドを含んで成る、上記４記載の製品。
６．脂質相が、その脂肪酸が１２〜２４、好ましくは１６〜２０炭素原子を含有する脂肪酸モノ−、ジ−もしくはトリグリセリドを含んで成る、上記４記載の製品。
７．脂質相がグリセリルステアレート、グリセリルオレエート、グリセリルラウレート、グリセリルミリステート、ココグリセリド、または水素化パーム油グリセリド、水素化ヒマシ油もしくは水素化菜種油から選択されるトリグリセリドを含んで成る、上記４記載の製品。
８．脂質相が、脂質相を形成している成分の総量の少なくとも５０％、好ましくは少なくとも７０％、より好ましくは少なくとも９０％（ｗ／ｗ）の量のモノ−、ジ−もしくはトリグリセリドを含んで成る、上記４〜７のいずれかに記載の製品。
９．脂質相が脂肪アルコールを含有する、上記１〜３のいずれかに記載の製品。
１０．脂質相がＣ12−Ｃ50−脂肪アルコール、とりわけＣ12−Ｃ24−脂肪アルコールを含有する、上記９記載の製品。
１１．脂肪アルコールがミリスチルアルコール、１−ペンタデカノール、セチルアルコール、ラウリルアルコール、オレイルアルコール、パルミチルアルコール、１−ヘプタデカノール、ステアリルアルコール、セテアリルアルコール、１−ノナデカノール、アラキジルアルコール、１−ヘンエイコサノール、ベヘニルアルコール、ブラシジルアルコール、リグノセリルアルコール、セリルアルコールもしくはミリシルアルコールおよびＣ16／Ｃ18−ゲルベ（Ｇｕｅｒｂｅｔ）アルコールから選択される、上記１０記載の製品。
１２．脂肪アルコールが１〜４０％、好ましくは１〜３０％（ｗ／ｗ）、より好ましくは１〜２０％（ｗ／ｗ）、更により好ましくは１〜１０％（ｗ／ｗ）の範囲にある、脂質相の総重量に対する量で脂質相中に存在する、上記９〜１１のいずれかに記載の製品。
１３．脂質相が脂肪酸を含有する、上記１〜３のいずれかに記載の製品。
１４．脂肪酸がＣ14−Ｃ40−脂肪酸、もしくはとりわけＣ16−Ｃ30−脂肪酸である、上記１３記載の製品。
１５．脂肪酸がミリスチン酸、ペンタデカン酸、パルミチン酸、マルガリン酸、ステアリン酸、ノナデカン酸、アラキン酸、ベヘン酸、リグノセリン酸、セロチン酸、メリシン酸、エルカ酸、エレオステアリン酸、オレイン酸、リノレン酸、ラウリン酸およびヒドロキシ−置換脂肪酸から選択される、上記１３記載の製品。
１６．脂質相の総重量に対する、脂質相中に存在する脂肪酸の総量が１〜３０％（ｗ／ｗ）、好ましくは１〜２０％（ｗ／ｗ）、より好ましくは１〜１０％（ｗ／ｗ）の範囲内にある、上記１３〜１５のいずれかに記載の製品。
１７．脂質相が１種もしくはそれ以上の下記に定義されるような成分（ａ）、（ｂ）、（ｃ）、（ｄ）、（ｅ）もしくは（ｆ）：
（ａ）少なくとも１〜５０％（ｗ／ｗ）、とりわけ少なくとも１〜１０％の油状もしくはワックス状成分、
（ｂ）０．１〜５％（ｗ／ｗ）の少なくとも１種の有効成分、
（ｃ）１〜１０％（ｗ／ｗ）の少なくとも１種の油、
（ｄ）０．１〜１０％（ｗ／ｗ）の少なくとも１種の乳化剤、
（ｅ）５〜９０％（ｗ／ｗ）の更なるワックス状成分、
（ｆ）０〜５％（ｗ／ｗ）の水、
を含有する、上記１〜３のいずれかに記載の製品。
１８．脂質相が（ａ）〜（ｆ）のすべての成分を含有する、上記１７記載の製品。
１９．成分（ａ）がＣ14−Ｃ30−ジアルキルエーテル、Ｃ14−Ｃ30−ジアルキルカーボネート、Ｃ4−Ｃ34−ジカルボン酸もしくはＣ12−Ｃ30−ヒドロキシ脂肪アルコールまたはそれらの混合物から選択される油状もしくはワックス状成分である、上記１７または１８記載の製品。
２０．脂質相がジアルキル（エン）エーテルもしくは−カーボネート、ジカルボン酸もしくはヒドロキシ脂肪アルコールまたはそれらの組み合わせ物を含んで成る、上記１〜３のいずれかに記載の製品。
２１．脂質相もしくは水相が１種もしくはそれ以上の有効物質を含有する、上記１〜２０のいずれかに記載の製品。
２２．１種もしくは複数の有効物質が抗微生物剤、例えば抗バクテリア剤および抗カビ剤、抗炎症剤、抗刺激剤、抗掻痒剤、制汗剤である、上記２１記載の製品。
２３．脂質相もしくは水相が少なくとも１種の加湿剤、制汗剤、皮膚手入れ成分、植物抽出物、ビタミン、香油、染料、日焼け止めフィルター、屈水性誘発物質もしくは自己日焼け剤（ｓｅｌｆ−ｔａｎｎｉｎｇ  ａｇｅｎｔ）を含有する、上記１〜２０のいずれかに記載の製品。
２４．脂質相もしくは水相が少なくとも１種の乳化剤を含有する、上記１〜２０のいずれかに記載の製品。
２５．脂質相が少なくとも１種の過脂肪化剤、増粘剤、カチオンポリマー、アニオンポリマー、双イオン性ポリマー、両性ポリマー、コンシステンシー付与剤、抗酸化剤を含有する、上記１〜２０のいずれかに記載の製品。
２６．脂質相もしくは水相が防虫剤、日焼け止めフィルター、粉剤または剥離剤を含有する、上記１〜２０のいずれかに記載の製品。
２７．払拭物である上記１〜２６のいずれかに記載の製品。
２８．払拭物が不織払拭物である、上記２７記載の製品。
２９．シートを脂質相とそして水相と順次にもしくは同時に接触させることを含んで成り、そして更なる乾燥段階を更を含んで成る、上記１〜２８のいずれかに記載の製品の製法。
３０．最初にシートの表面に室温より高い融点もしくは融解範囲を有する脂質相が適用され、次に水相が適用される、上記２９記載の方法。
３１．水相が噴霧、滴下、浸漬もしくは浴中の走行により適用され、そして脂質相が噴霧、接触、印刷もしくは、シートと、スリットノズルを有する適用ヘッド間に直接的接触が存在する直接接触法により適用される、上記２９記載の方法。
３２．水相が適用された後に乾燥段階が実施される、上記３１記載の方法。
３３．乾燥段階が熱気の適用あるいは湿ったシートをオーブン中または加熱もしくは加温された輸送ローラー上を誘導することを含んで成る、上記２９〜３２のいずれかに記載の方法。
３４．組み合わせた清浄化物および有効物質の適用物としての上記１〜２８のいずれかに記載の製品の使用。
３５．（ａ）脂質相が１種もしくは複数のＣ12−24脂肪酸トリグリセリド、Ｃ12−Ｃ50−脂肪アルコールまたは、ジアルキル（エン）エーテル、ジアルキル（エン）カーボネート、ジカルボン酸もしくはヒドロキシ脂肪アルコールまたはそれらの混合物から選択される少なくとも１種の油もしくはワックス成分を含んで成り、
（ｂ）脂質相が１０％未満の水分を含有し、そして
（ｃ）脂質相の融点もしくは融解範囲が２５℃より高いかもしくはそれに等しい、
ワックス状脂質相がそれに適用された、多孔性もしくは吸収性シートを含んで成る製品。
３６．脂質相が１種もしくはそれ以上のＣ16−20脂肪酸トリグリセリドを含んで成り、脂質相中の１種もしくは複数のトリグリセリドの総量が脂質相を形成している成分の総量の少なくとも５０％、好ましくは少なくとも７０％、より好ましくは少なくとも９０％である、上記３５記載の製品。
３７．トリグリセリドがグリセリルステアレート、グリセリルオレエート、グリセリルラウレート、グリセリルミリステート、ココグリセリドまたは、水素化パーム油、水素化菜種油もしくは水素化ヒマシ油中に存在するグリセリドから選択される、上記３６記載の製品。
３８．脂質相が天然の脂肪、油もしくはワックスから誘導されるＣ12−Ｃ24−脂肪アルコールを含有し、脂質相の総重量に対する脂質相中に存在する脂肪アルコールの総量が１〜３０％（ｗ／ｗ）、好ましくは１〜２０％（ｗ／ｗ）、より好ましくは１〜１０％（ｗ／ｗ）の範囲内にある、上記３５記載の製品。
３９．脂肪アルコールがミリスチルアルコール、１−ペンタデカノール、セチルアルコール、ラウリルアルコール、オレイルアルコール、パルミチルアルコール、１−ヘプタデカノール、ステアリルアルコール、セテアリルアルコール、１−ノナデカノール、アラキジルアルコール、１−ヘンエイコサノール、ベヘニルアルコール、ブラシジルアルコール、リグノセリルアルコール、セリルアルコールもしくはミリシルアルコールおよびゲルベアルコールから選択される、上記３８記載の製品。
４０．脂質相がジアルキル（エン）エーテル、ジアルキル（エン）カーボネート、ジカルボン酸もしくはヒドロキシ脂肪アルコールまたはそれらの混合物から選択される少なくとも１種の油もしくはワックス成分を含有するワックス状組成物である、上記３５記載の製品。
４１．脂質相が更に１有効成分を含有する、上記３５〜４０のいずれかに記載の製品。
４２．脂質相が
（ａ）Ｃ14−Ｃ30−ジアルキルエーテル、Ｃ14−Ｃ30−ジアルキルカーボネート、Ｃ4−Ｃ34−ジカルボン酸もしくはＣ12−Ｃ30−ヒドロキシ脂肪アルコールまたはそれらの混合物から選択される、少なくとも１〜５０％（ｗ／ｗ）、とりわけ少なくとも１〜１０％の油状もしくはワックス状成分、
（ｂ）０．１〜５％（ｗ／ｗ）の少なくとも１種の有効成分、
（ｃ）１〜１０％（ｗ／ｗ）の少なくとも１種の油、
（ｄ）０．１〜１０％（ｗ／ｗ）の少なくとも１種の乳化剤、
（ｅ）５〜９０％（ｗ／ｗ）の更なるワックス状成分、
（ｆ）０〜５％（ｗ／ｗ）の水
を含有する、上記３５記載の製品。